(57)【要約】【課題】予旋回槽の構造の簡素化を図ると共に、効率のよい旋回流の発生により異物等が良好に外部に排出できる排水ポンプ装置を提供する。【解決手段】汚水槽２の底部に、水中ポンプ５の吸込口１２が配置される凹部３ｄが設けられた予旋回槽３を備える。予旋回槽３は、仕切壁３ａにより凹部３ｄが設けられていない汚水貯留域３ｂと凹部３ｄが設けられている予旋回域３ｃとに区画される。旋回流を生じさせるべく、汚水貯留域３ｂと予旋回域３ｃとを連通させる導水路３ｅが設けられる。仕切壁３ａの上部に、水中ポンプ５を支持する連結支持管６の取付具７が設けられる。【選択図】　　　図１
2004027606.tif 000002
【特許請求の範囲】
【請求項１】
汚水槽の底部に、水中ポンプの吸込口が配置される凹部が設けられた予旋回槽を備え、水中ポンプによる排水の際に汚水の流れによって旋回流を生じさせる排水ポンプ装置において、
前記予旋回槽は、仕切壁により前記凹部が設けられていない汚水貯留域と凹部が設けられている予旋回域とに区画されると共に、前記旋回流を生じさせるべく、汚水貯留域と予旋回域とを連通させる導水路が設けられ、
前記仕切壁の上部に、前記水中ポンプを支持する支持部材の取付具が設けられたことを特徴とする排水ポンプ装置。
【請求項２】
前記取付具は、前記仕切壁に上方より嵌合状とされる下方向に拡開する断面略コ字状の固定板と、この固定板の上面に立設されると共に前記支持部材に備えられた取付座のボルト挿通部に挿通されるボルト体とを有してなることを特徴とする請求項１に記載の排水ポンプ装置。
【請求項３】
前記取付具は、前記支持部材に備えられた取付座のボルト挿通部に挿通されるボルト体が、前記仕切壁の裏側より上方突出状に立設されると共に仕切壁の裏側でモールドされてなることを特徴とする請求項１に記載の排水ポンプ装置。
【請求項４】
前記ボルト体に固定板が一体化され、該固定板を前記仕切壁裏側の天井面に当接させた状態で前記モールドしたことを特徴とする請求項３に記載の排水ポンプ装置。
【請求項５】
前記仕切壁の上面と前記支持部材の前記取付座との間に補強板を介在させたことを特徴とする請求項３または請求項４に記載の排水ポンプ装置。
【発明の詳細な説明】
【０００１】
【発明の属する技術分野】
本発明は、汚水排水時の汚水の流れにより旋回流を生じさせる予旋回槽を汚水槽の底部に備えた排水ポンプ装置の改良に関するものである。
【０００２】
【従来の技術】
従来、この種の排水ポンプ装置において、汚水槽内に流入した汚水を水中ポンプによって吸い上げる際、汚水の流れによって旋回流を生じさせ、汚泥等を滞留させないように、汚水槽の底部に予旋回槽が備えられた構造のものがある。
【０００３】
例えば、特開平９−２２１８２０号公報にも開示のように、汚水槽の底部に、ＦＲＰ（ガラス繊維強化プラスチック）等の強化プラスチックで成形された予旋回槽が配置された構造の排水ポンプ装置があり、予旋回槽は仕切壁によって凹部が設けられた予旋回域と凹部が設けられていない汚水貯留域とに区画されており、汚水貯留域と予旋回域とは漸次下降傾斜する導水路により連通された構造とされている。
【０００４】
また、水中ポンプの吸込口を前記凹部内に挿入状として、予旋回槽に設けられた載置座に水中ポンプを支持する支持部材としての吐出ベンドが載置固定された構造とされている。
【０００５】
そして、水中ポンプが運転されると、汚水槽内の汚水は吸込口から吸い上げられ、汚水の水位が予旋回槽の上端レベル以下、即ち仕切壁上端以下に低下した後は、導水路を通じて汚水貯留域から予旋回域に流入し、旋回流を生じながら吸い上げられる。この旋回流によって汚水槽底部の滞留物を洗い流し、汚水内の異物は汚水と共に凹部内に落とし込まれ、凹部内に落とし込まれた異物や旋回流によって集められたスカム等が、水中ポンプによって吸い上げられ、排出管を通じて外部に排水されるように構成されていた。
【０００６】
【発明が解決しようとする課題】
しかしながら、上記従来構造の排水ポンプ装置のように、予旋回槽における予旋回域に上方突出状に載置座を設け、載置座に水中ポンプを支持する吐出ベンドを載置固定する構造とすれば、載置座によって旋回流の流れを抑制したり、乱したりするおそれがあり、効率よく旋回流が得られない欠点があると共に、汚水中の異物が引っ掛かったりして、外部に円滑に排出されないおそれもあった。
【０００７】
また、仕切壁や凹部だけでなく、載置座も別途、形成する必要があり、予旋回槽の形状の複雑化を招き、予旋回槽の製造の困難化を招くおそれもあった。
【０００８】
そこで、本発明は上記問題点に鑑み、予旋回槽の構造の簡素化を図ると共に、効率のよい旋回流の発生により異物等が良好に外部に排出できる排水ポンプ装置を提供すること目的とする。
【０００９】
【課題を解決するための手段】
上記目的を達成するための技術的手段は、汚水槽の底部に、水中ポンプの吸込口が配置される凹部が設けられた予旋回槽を備え、水中ポンプによる排水の際に汚水の流れによって旋回流を生じさせる排水ポンプ装置において、前記予旋回槽は、仕切壁により前記凹部が設けられていない汚水貯留域と凹部が設けられている予旋回域とに区画されると共に、前記旋回流を生じさせるべく、汚水貯留域と予旋回域とを連通させる導水路が設けられ、前記仕切壁の上部に、前記水中ポンプを支持する支持部材の取付具が設けられた点にある。
【００１０】
また、前記取付具は、前記仕切壁に上方より嵌合状とされる下方向に拡開する断面略コ字状の固定板と、この固定板の上面に立設されると共に前記支持部材に備えられた取付座のボルト挿通部に挿通されるボルト体とを有してなる構造としてもよい。
【００１１】
さらに、前記取付具は、前記支持部材に備えられた取付座のボルト挿通部に挿通されるボルト体が、前記仕切壁の裏側より上方突出状に立設されると共に仕切壁の裏側でモールドされてなる構造としてもよい。
【００１２】
また、前記ボルト体に固定板が一体化され、該固定板を前記仕切壁裏側の天井面に当接させた状態で前記モールドした構造としてもよい。
【００１３】
さらに、前記仕切壁の上面と前記支持部材の前記取付座との間に補強板を介在させた構造としてもよい。
【００１４】
【発明の実施の形態】
以下、本発明の第１の実施形態を図面に基づいて説明すると、図１ないし図３は排水ポンプ装置の一例としての宅内排水用の排水ポンプ装置１を示しており、汚水槽２の底部には予旋回槽３が備えられ、これら汚水槽２や予旋回槽３は例えば、ＦＲＰによって成形された構造とされている。
【００１５】
予旋回槽３は、いわゆる山形に上方突出状とされた仕切壁３ａにより一側の汚水貯留域３ｂと他側の予旋回域３ｃとに区画され、予旋回域３ｃには略楕円状の凹部３ｄが設けられている。
【００１６】
また、汚水槽２周縁部における仕切壁３ａの延設方向一端部には、汚水貯留域３ｂと予旋回域３ｃとを連通状とする導水路３ｅが設けられており、この導水路３ｅは、汚水貯留域３ｂから凹部３ｄの接線方向に汚水が流下すべく、漸次下降傾斜する湾曲状に形成され、導水路３ｅの終端部は予旋回域３ｃで生じる旋回流の流れ方向に沿うように構成されている。
【００１７】
前記仕切壁３ａの上部に、水中ポンプ５を支持する支持部材としての連結支持管６が取付具７を介して取り付けられており、連結支持管６の一端部両側には、一対のガイドパイプ９が所定間隔を有する並列状として上下方向に立設固定されている。
【００１８】
そして、この両ガイドパイプ９に沿って水中ポンプ５を下降操作することにより、水中ポンプ５の吐出口１０に備えられた接続部が連結支持管６の接続フランジ部に着脱自在に自動的に接続される脱着機構１１が備えられた構造とされている。この種の脱着機構１１として、例えば、特開平７−２６９４９９号公報等に開示のような構造のものや、その他、各種の構造が知られており、適宜採用すればよい。
【００１９】
また、この水中ポンプ５側と連結支持管６側との接続状態において、図１に示される如く、水中ポンプ５のベルマウス状に形成された吸込口１２が凹部３ｄ内に挿入状に配置されるように構成されている。
【００２０】
前記連結支持管６の他端部には、汚水槽２外の外部排出管につながる排出管１４が接続されており、排出管１４における排出経路中間部には、逆止弁１５や空気抜き弁１６が備えられている。この際、逆止弁１５は水中ポンプ５停止時に外部排出管側からの汚水の逆流を防止し、空気抜き弁１６は水中ポンプ５運転開始時において、逆止弁１５より上流側の排出管１４や連結支持管６等に溜まっている空気を排出管１４の外部に逃す機能を有する。
【００２１】
前記取付具７は図３にも示される如く、仕切壁３ａに上方より嵌合状とされる下方向に拡開する断面略コ字状で、仕切壁３ａの延びる方向に適宜長さを有する固定板７ａと、固定板７ａの上面に溶接等により立設されると共に前記連結支持管６下部に一体に備えられた取付座６ａの連結支持管６両側に位置して設けられた一対のボルト挿通孔６ｂにそれぞれ挿通される一対のボルト体７ｂとから構成されている。
【００２２】
そして、仕切壁３ａ上に嵌合状にセットされた取付具７の各ボルト体７ｂが、連結支持管６の取付座６ａにおける各ボルト挿通孔６ｂに挿通状となるように載置し、上方突出状とされた各ボルト体７ｂにナット体１７をそれぞれ螺合締結することにより、連結支持管６が仕切壁３ａ上に取付支持される構造とされている。
【００２３】
また、本実施形態においては、図２に示される如く、一対の水中ポンプ５が交互運転される方式であり、各水中ポンプ５の吸込口１２がそれぞれ凹部３ｄの長径方向に沿って適宜間隔を有して挿入状に配置され、仕切壁３ａに同様の構造により取付支持されている。
【００２４】
なお、１９は水中ポンプ５吊り下げ支持用のチェーンである。
【００２５】
本実施形態は以上のように構成されており、適宜位置に備えられた流入管２０から汚水槽２内に流入する汚水が、所定の上限水位位置まで貯留されたことが気泡式水位センサ等からなる水位センサ（図示省略）により検出されると、一方の水中ポンプ５の運転が開始され、この水中ポンプ５の運転により、凹部３ｄ内の汚水が吸込口１２を通じて順次吸い上げられる。
【００２６】
そして、吸い上げられた汚水は吐出口１０から連結支持管６、排出管１４を通じて外部排出管に排水される。なお、この運転開始時において、逆止弁１５より上流側（水中ポンプ５側）の排出管１４等に溜まっていた空気は、空気抜き弁１６を通じて排出管１４外に排出される。
【００２７】
また、水中ポンプ５によって凹部３ｄ内の汚水が吸い上げられて、汚水水位が仕切壁３ａ上面高さに達した後、さらに、凹部３ｄ内の汚水が吸い上げられると、汚水貯留域３ｂ側と予旋回域３ｃ側とで水位差が生じ、導水路３ｅに沿った汚水の流れが発生し、この流れにより旋回流が発生して、この旋回流が汚水槽２底部の滞留物を洗い流し、汚水内の異物は汚水と共に凹部３ｄ内に落とし込まれる。
【００２８】
そして、凹部３ｄ内に落とし込まれた異物や旋回流によって集められたスカム等が、水中ポンプ５によって吸い上げられて排出管１４を通じて外部に排出される。
【００２９】
その後、水位が低下して下限水位位置に達したことを水位センサにより検出されると、タイマ機能が作動して所定時間経過後、水中ポンプ５の運転が停止される。
【００３０】
以上のように、本実施形態においては、水中ポンプ５を支持する連結支持管６が予旋回槽３における最も高所であるところの仕切壁３ａの上部に取付具７を介して取付支持された構造であり、汚水貯留域３ｂから予旋回域３ｃに向かって、即ち予旋回槽３の底面を凹部３ｄに向かって流れる汚水の流下経路中に何ら流れの障害となる邪魔物がなく、異物の引っ掛かり等に起因する汚水の流れに対する抵抗も有効に防止でき、また、従来の載置座のような突出部も存在しないため、汚水の流れによって生じる旋回流の流れが何ら抑制されず、旋回流が効率よく得られ、旋回流と共に旋回している異物も円滑に凹部３ｄ内に落とし込まれて、スカムと共に外部に効率よく排出でき、性能の向上が図れる。
【００３１】
さらに、予旋回槽３の仕切壁３ａを利用して水中ポンプ５を支持する連結支持管６を支持させる構造であり、従来のように別途、載置座を設ける必要がなく、予旋回槽３の構造の簡素化が図れ、製造の容易化や製造コスト低減が図れる。
【００３２】
また、上方突出状に備えられた仕切壁３ａで、水中ポンプ５を支持する連結支持管６を支持させる構造であり、仕切壁３ａのリブ機能によって特に上下方向の応力に強く、水中ポンプ５の重量等を支持する支持強度を十分に発揮することができる。
【００３３】
さらに、取付具７が断面略コ字状の固定板７ａとこの上面に立設されたボルト体７ｂとからなる構造であり、仕切壁３ａの上部に固定板７ａを嵌合させることによって取付具７をセットでき、取付具７の取付作業の容易化が図れる。
【００３４】
図４は第２の実施形態を示しており、上記第１の実施形態と同様構成部分は同一符号を付し、その説明を省略する。
【００３５】
即ち、本実施形態においては、取付具７は、一対のボルト体７ｂが平板状の金属板等からなる固定板７ｃに溶接等により固定されて一体化した構造とされており、仕切壁３ａの下面、即ち裏側より取付具７の各ボルト体７ｂを貫通状として上方突出状に立設させると共に、仕切壁３ａ裏側の天井面に固定板７ｃを当接させた状態で、ＦＲＰによるモールド２２により、取付具７が仕切壁３ａに固定された構造とされている。
【００３６】
そして、第１の実施形態と同様、仕切壁３ａ上に上方突出状とされている各ボルト体７ｂが、連結支持管６の取付座６ａにおける各ボルト挿通孔６ｂに挿通状となるように連結支持管６を載置し、上方突出状とされた各ボルト体７ｂにナット体１７をそれぞれ螺合締結することにより、連結支持管６が仕切壁３ａ上に固定される。
【００３７】
従って、本実施形態によれば、第１の実施形態と同様の効果を奏すると共に、仕切壁３ａに各ボルト体７ｂを貫通状としてモールド２２により取付具７が固定されているため、仕切壁３ａに取付具７を強固に固定でき、取付具７の位置ずれがなく、水中ポンプ５の支持強度が向上する。
【００３８】
また、各ボルト体７ｂが固定板７ｃに一体化されているため、各ボルト体７ｂの取付姿勢が安定すると共に、固定板７ｃによって連結支持管６の取付部分における仕切壁３ａ上部の補強効果も発揮できる。
【００３９】
図５は第３の実施形態を示しており、上記第２の実施形態と同様構成部分は同一符号を付し、その説明を省略する。
【００４０】
即ち、本実施形態においては、前記第２の実施形態における仕切壁３ａ上面と取付座６ａ下面との間に平板状の金属等からなる補強板２４を介在した構造とされている。
【００４１】
そして、仕切壁３ａ上に上方突出状とされている各ボルト体７ｂが、補強板２４の各ボルト挿通孔２４ａに挿通状となるように補強板２４を載置すると共に、連結支持管６の取付座６ａにおける各ボルト挿通孔６ｂに挿通状となるように連結支持管６を載置し、上方突出状とされた各ボルト体７ｂにナット体１７をそれぞれ螺合締結することにより、連結支持管６が仕切壁３ａ上に固定される。
【００４２】
従って、本実施形態によれば、第２の実施形態と同様の効果を奏すると共に、補強板２４によって連結支持管６の取付部分における仕切壁３ａ上部の補強効果がより向上し、水中ポンプ５の支持強度がより向上する。
【００４３】
図６は第４の実施形態を示しており、上記第３の実施形態と同様構成部分は同一符号を付し、その説明を省略する。
【００４４】
即ち、本実施形態においては、前記第３の実施形態における補強板２４の形状を仕切壁３ａ上部に嵌合可能な下方向に漸次拡開する断面略コ字状に形成された構造とされている。
【００４５】
従って、本実施形態によれば、第３の実施形態と同様の効果を奏すると共に、補強板２４によって仕切壁３ａの上部だけでなく側面部にも補強効果が発揮でき、水中ポンプ５の支持強度がより向上する利点がある。
【００４６】
なお、各実施形態においては、一対の水中ポンプ５が交互運転される方式の排水ポンプ装置１に適用した構造を示しているが、水中ポンプ５が単一である排水ポンプ装置１であってもよく、実施形態に何ら限定されない。
【００４７】
また、予旋回槽３もＦＲＰに限らず、コンクリート等で形成される構造であってもよい。
【００４８】
さらに、宅内排水用の排水ポンプ装置１を示してるが、マンホール用の排水ポンプ装置１等であってもよく、実施形態に何ら限定されない。
【００４９】
【発明の効果】
以上のように、本発明の排水ポンプ装置によれば、予旋回槽は、仕切壁により凹部が設けられていない汚水貯留域と凹部が設けられている予旋回域とに区画されると共に、旋回流を生じさせるべく、汚水貯留域と予旋回域とを連通させる導水路が設けられ、仕切壁の上部に、水中ポンプを支持する支持部材の取付具が設けられた構造であり、予旋回槽における最も高所であるところの仕切壁の上部に取付具を介して取付支持されるため、予旋回槽の底面を凹部に向かって流れる汚水の流下経路中に何ら障害となる邪魔物がなく、異物の引っ掛かりに起因する汚水の流れに対する抵抗も有効に防止でき、また、従来の載置座のような突出部も存在しないため、汚水の流れによって生じる旋回流の流れが何ら抑制されず、旋回流が効率よく得られ、旋回流と共に旋回している異物も円滑に凹部内に落とし込まれて、スカムと共に外部に効率よく排出でき、性能の向上が図れる利点がある。
【００５０】
さらに、予旋回槽の仕切壁を利用して水中ポンプを支持する構造であり、従来のように別途、載置座を設ける必要がなく、予旋回槽の構造の簡素化が図れ、製造の容易化や製造コスト低減が図れる利点もある。
【００５１】
また、上方突出状に備えられた仕切壁を利用して水中ポンプを支持する構造であり、特に上下方向の応力に強く、水中ポンプの重量等を支持する支持強度を十分に発揮することができるという利点もある。
【００５２】
さらに、取付具は、仕切壁に上方より嵌合状とされる下方向に拡開する断面略コ字状の固定板と、この固定板の上面に立設されると共に支持部材に備えられた取付座のボルト挿通部に挿通されるボルト体とを有してなる構造とすれば、取付具の取付作業の容易化が図れる利点がある。
【００５３】
また、取付具は、支持部材に備えられた取付座のボルト挿通部に挿通されるボルト体が、仕切壁の裏側より上方突出状に立設されると共に仕切壁の裏側でモールドされてなる構造とすれば、位置ずれが有効に防止でき、水中ポンプの支持強度が向上するという利点がある。
【００５４】
さらに、ボルト体に固定板が一体化され、該固定板を仕切壁裏側の天井面に当接させた状態でモールドした構造とすれば、ボルト体の取付姿勢が安定すると共に、固定板によって仕切壁の上部を補強する効果も発揮できる。
【００５５】
また、仕切壁の上面と支持部材の取付座との間に補強板を介在させた構造とすれば、仕切壁上部の補強効果がより向上して、水中ポンプの支持強度がより向上するという利点がある。
【図面の簡単な説明】
【図１】本発明の第１の実施形態を示す断面正面図である。
【図２】同断面平面図である。
【図３】同要部分解図である。
【図４】第２の実施形態における要部分解図である。
【図５】第３の実施形態における要部分解図である。
【図６】第４の実施形態における要部分解図である。
【符号の説明】
１　排水ポンプ装置
２　汚水槽
３　予旋回槽
３ａ　仕切壁
３ｂ　汚水貯留域
３ｃ　予旋回域
３ｄ　凹部
３ｅ　導水路
５　水中ポンプ
６　連結支持管
６ａ　取付座
６ｂ　ボルト挿通孔
７　取付具
７ａ　固定板
７ｂ　ボルト体
７ｃ　固定板
１２　吸込口
１４　排出管
１７　ナット体
２２　モールド
２４　補強板
【図１】
2004027606.tif 000003
【図２】
2004027606.tif 000004
【図３】
2004027606.tif 000005
【図４】
2004027606.tif 000006
【図５】
2004027606.tif 000007
【図６】
2004027606.tif 000008